(57)【要約】  本発明は、フィルムワイヤを基板に接続するコネクタをフリップなしに構成し、そのコネクタのハウジングにフィルムワイヤを挿入する際に、最初は小さな力で挿入し、最後にのみ大きな力を入れてフィルムワイヤをコネクタに挿入して固定できるようにすることにより、フィルムワイヤに構成される接点ピンが傷ついたり破損したりすることを防止すると同時に、フィルムワイヤを端子の正しい位置に挿入し、フィルムワイヤの固定状態を安定させることができるフィルムワイヤロックコネクタを提供する。これは、複数の端子がハウジングに挿入されて固定され、そのハウジングの挿入部にフィルムワイヤを挿入すると、フィルムワイヤの接点ピンが端子の接点部に密着するようにしたフィルムワイヤ用コネクタにおいて、前記コネクタの端子は、一側に前記接点部を形成し、その接点部の対向する位置に中心部を中心としてシーソー動作するシーソー部材を端子に一体に形成し、そのシーソー部材がフィルムワイヤによってシーソー動作するように構成することで達成できる。
2008504645.tif 000002
【特許請求の範囲】
【請求項１】
複数個の端子（１２、２２）がハウジング（１１、２１）に挿入されて固定され、そのハウジング（１１、２１）の挿入部（１１ａ、２１ａ）にフィルムワイヤ（１８、２８）を挿入すると、フィルムワイヤ（１８、２８）の接点ピン（１９、２９）が端子（１２、２２）の接点部（１３、２３）に密着するようにするフィルムワイヤ用コネクタ（１０、２０）において、
前記コネクタ（１０、２０）の端子（１２、２２）は、一側に前記接点部（１３、２３）を形成し、その接点部（１３、２３）の対向する位置に中心部（１５、２５）を中心としてシーソー動作するシーソー部材（１４、２４）を端子（１２、２２）に一体に形成し、そのシーソー部材（１４、２４）はフィルムワイヤ（１８、２８）によってシーソー動作するように構成されることを特徴とするフィルムワイヤロックコネクタ。
【請求項２】
前記シーソー部材（１４、２４）は、中心部（１５、２５）により端子（１２、２２）に一体に形成され、そのシーソー部材（１４、２４）は、中心部（１５、２５）の一側には突出部（１６、２６）を形成し、前記中心部（１５、２５）の他側には、加圧部（１７、２７）を形成して構成されることを特徴とする請求項１に記載のフィルムワイヤロックコネクタ。
【請求項３】
前記シーソー部材（１４、２４）は、加圧部（１７、２７）を端子（１４、２４）の接点部（１３、２３）と対向するように形成し、その間隔を接点ピン（１９、２９）が備えられるフィルムワイヤ（１８、２８）の厚みと同じか、または大きくなるように形成し、加圧部（１７、２７）の対向側の突出部（１６、２６）は、その前のスペースの間隔を接点ピン（１９、２９）が備えられるフィルムワイヤ（１８、２８）の厚みより小さくなるように形成して構成されることを特徴とする請求項１または請求項２に記載のフィルムワイヤロックコネクタ。
【請求項４】
複数個の端子（３２、４２）がハウジング（３１、４１）に挿入されて固定され、そのハウジング（３１、４１）の挿入部（３１ａ、４１ａ）にフィルムワイヤ（３８、４８）を挿入すると、フィルムワイヤ（３８、４８）の接点ピン（３９、４９）が端子（３２、４２）を介して基板に接続するようにするフィルムワイヤ用コネクタ（３０、４０）において、
前記コネクタ（３０、４０）の端子（３２、４２）は、ハウジング（３１、３２）の内部にシーソー部材（３３、３４、４３、４４）を対向するように形成し、そのシーソー部材（３３、３４、４３、４４）は、中心部（３５、４５）により端子（３２、４２）に一体に接続して形成され、そのシーソー部材（３３、３４、４３、４４）がフィルムワイヤ（３８、４８）によって同時にシーソー動作するように構成されることを特徴とするフィルムワイヤロックコネクタ。
【請求項５】
前記シーソー部材（３３、３４、４３、４４）は、前記中心部（３５、４５）の一側に突出部（３６、４６）を形成し、前記中心部（３５、４５）の他側には加圧部（３７、４７）を形成して構成されることを特徴とする請求項４に記載のフィルムワイヤロックコネクタ。
【請求項６】
前記シーソー部材（３３、３４、４３、４４）は、突出部（３６、４６）同士が互いに対向するようにし、その間の間隔を接点ピン（３９、４９）が備えられるフィルムワイヤ（３８、４８）の厚みより小さくなるようにし、加圧部（３７、４７）は、加圧部（３７、４７）同士が互いに対向するように形成し、その間の間隔を接点ピン（３９、４９）が備えられるフィルムワイヤ（３８、４８）の厚みと同じか、または大きくなるように形成して構成されることを特徴とする請求項４または請求項５に記載のフィルムワイヤロックコネクタ。
【発明の詳細な説明】
【技術分野】
【０００１】
本発明は、基板に固定してフィルムワイヤを簡便に接続端子及び基板と接続できるようにするフィルムワイヤロックコネクタに関し、より詳細には、基板にフィルムワイヤを垂直または水平に接続する際に、フィルムワイヤをコネクタに簡便に接続できるとともに、フィルムワイヤの接点部が損傷することなく、コネクタとフィルムワイヤとを安定して接続できるようにするフィルムワイヤロックコネクタに関する。
【背景技術】
【０００２】
従来より、基板に固定され基板上の端子と接続ケーブルを相互接続して電気的信号を通電させるコネクタは知られており、そのコネクタの構成は、基板と水平にフィルムワイヤを接続する水平型コネクタと、基板と垂直にフィルムワイヤを接続する垂直型コネクタに分けられる。
【０００３】
前記水平型及び垂直型に区分されるコネクタとしては、フィルムワイヤを固定するためのフリップが構成されていない一般コネクタと、フリップが構成されフリップを開けた状態でフィルムワイヤを挿入してから、フリップを閉じて固定するフリップ型コネクタが使用されている。
【０００４】
上述の従来コネクタのうちフリップを使用しないコネクタとしては、図１１に示すように、基板と垂直にフィルムワイヤを接続できるようにする垂直型コネクタと、図１２に示すように、基板と水平にフィルムワイヤを接続できるようにする水平型コネクタがある。
【０００５】
即ち、コネクタ６０、７０の内部に備えられる多数の端子６３、７３には、弾性復元力を有する接点部６４、７４を形成することで、ハウジング６１、７１の挿入部６２、７２にフィルムワイヤ６５、７５を挿入すると、端子６３、７３に形成される接点部６４、７４が自体の弾性力によってフィルムワイヤ６５、７５の接点ピン６６、７６に密着してフィルムワイヤ６５、７５を基板に接続する。
【発明の開示】
【発明が解決しようとする課題】
【０００６】
上述のように、フィルムワイヤ６５、７５をハウジング６１、７１の挿入部６２、７２に直接差し込んで使用するコネクタ６０、７０は、コネクタ６０、７０の大きさを最小化できるとともに、フィルムワイヤ６５、７５をコネクタ６０、７０に接続するためのスペースを必要とせず、製品設計を小型化できるという長所はあるが、フィルムワイヤ６５、７５を挿入部６２、７２に挿入する際に、フィルムワイヤ６５、７５の接点ピン６６、７６が端子６３、７３の接点部６４、７４に継続して接続された状態で挿入されることにより、フィルムワイヤ６５、７５の接点ピン６６、７６が傷ついたり、破損したりする問題点があった。
【０００７】
特に、フィルムワイヤ６５、７５をコネクタ６０、７０に挿入する際に、接点部６４、７４との摩擦のため最初から最後まで継続的に力を入れなければならず作業が難しく、且つ正しい位置に挿入されたかどうかが不確実である短所があり、さらに、フィルムワイヤ６５、７５の固定を接点部６４、７４の有する弾性力のみで固定しているため、固定力が弱いという問題点があった。
【０００８】
一方、上述の従来コネクタのうちフリップが使用されるコネクタは、図１３の基板に垂直にフィルムワイヤ６５、７５を接続できるようにする垂直型コネクタと、図１４の基板に水平にフィルムワイヤを接続できるようにする水平型コネクタのように、フリップ８３、９３を使用するコネクタ８０、９０は、基板に固定されたコネクタ８０、９０のフリップ８３、９３を開けてハウジング８１、９１の挿入口８２、９３にフィルムワイヤ８７、９７を挿入すると、フィルムワイヤ８７、９７の接点ピン８８、９８がコネクタ８０、９０の端子８５、９５に触れない状態で挿入され、その後、フリップ８３、９３を閉じると、そのフリップ８３、９３に形成された突出部８４、９４がフィルムワイヤ８７、９７を端子８５、９５の接点部８６、９６に密着させて通電するようにする。
【０００９】
しかしながら、上述のようなフリップ８３、９３が備えられるコネクタ８０、９０は、基板上に作業者が手でフリップ８３、９３を開け閉めするためのスペースが必要であり、製品の小型化に制限が生じるという問題点とともに、フリップ８３、９３を回転可能に備え、さらに閉めたときに固定されなければならないので、製造コストが上昇し、且つ小型化が困難であるという問題点があった。
【００１０】
また、上述のフリップ８３、９３を使用するコネクタ８０、９０は、外部の衝撃や揺れ等によりフィルムワイヤ８７、９７が揺れると、フリップが８３、９３開きやすくなり、フィルムワイヤ８７、９７が簡単に外れる等、製品の信頼度を低下させる問題が起こる。さらに、フィルムワイヤ８７、９７を接点部８６、９６に接触させずに挿入した後、フリップ８３、９３により固定しているため、フレキシブルフィルムワイヤ８７、９７が正しい位置に挿入されたかどうかを確認できないという問題点があった。
【課題を解決するための手段】
【００１１】
そこで、本発明の目的は、フィルムワイヤを基板に接続するコネクタをフリップなしに構成し、そのコネクタのハウジングにフィルムワイヤを挿入する際に、最初は小さな力で挿入し、最後の部分でのみ大きな力を入れてフィルムワイヤをコネクタに挿入して固定できるようにすることにより、フィルムワイヤに構成される接点ピンが傷ついたり破損することを防止できるとともに、フィルムワイヤを端子の正しい位置に挿入し、フィルムワイヤの固定状態が安定するようにするフィルムワイヤロックコネクタを提供することである。
【発明を実施するための最良の形態】
【００１２】
次に、本発明の好適な実施形態について図面を参照して詳細に説明する。
【００１３】
図１乃至図６は、本発明に係る一実施形態を示す斜視図及び断面図であり、複数個の端子１２、２２がハウジング１１、２１に挿入されて固定され、そのハウジング１１、２１の挿入部１１ａ、２１ａにフィルムワイヤ１８、２８を挿入すると、フィルムワイヤ１８、２８の接点ピン１９、２９が端子１２、２２の接点部１３、２３に密着するようにするフィルムワイヤ用コネクタ１０、２０において、前記コネクタ１０、２０の端子１２、２２は、一側に前記接点部１３、２３を形成し、その接点部１３、２３の対向する位置に中心部１５、２５を中心としてシーソー動作するシーソー部材１４、２４を端子１２、２２に一体に形成し、そのシーソー部材１４、２４がフィルムワイヤ１８、２８によってシーソー動作するように構成されている。
【００１４】
前記シーソー部材１４、２４は、中心部１５、２５により端子１２、２２に一体に形成され、そのシーソー部材１４、２４は、中心部１５、２５の一側には突出部１６を形成し、前記中心部１５、２５の他側には加圧部１７、２７を形成して構成される。
【００１５】
また、前記シーソー部材１４、２４は、加圧部１７、２７を端子１４、２４の接点部１３、２３と対向するように形成して、その間隔を接点ピン１９、２９に備えられるフィルムワイヤ１８、２８の厚みと同じか、または大きくなるように形成し、加圧部１７、２７の対向側の突出部１６、２６は、その前のスペースの間隔を接点ピン１９、２９が備えられるフィルムワイヤ１８、２８の厚みより小さくなるように形成する。
【００１６】
このように構成される本発明は、垂直型コネクタ１０と水平型コネクタ２０にそれぞれフィルムワイヤ１８、２８を挿入すると、ハウジング１１、２１に挿入されるフィルムワイヤ１８、２８の長さの約７５％が挿入されるまでに、フィルムワイヤ１８、２８の接点ピン１９、２９が端子１２、２２の接点部１３、２３に接触しない状態で挿入され、残部約２５％の長さが挿入されたときにシーソー部材１４、２４によりフィルムワイヤ１８、２８が安全に固定される。
【００１７】
即ち、本発明の一実施形態によるシーソー部材１４、２４が端子１２、２２の一側に備えられるハウジング１１、２１の挿入部１１ａ、２１ａにフィルムワイヤ１８、２８を挿入すると、フィルムワイヤ１８、２８の接点ピン１９、２９が、端子１２、２２の接点部１３、２３とシーソー部材１４、２４の加圧部１７、２７との間に挿入される。
【００１８】
この際、前記接点部１３、２３と加圧部１７、２７との間の間隔は、接点ピン１９、２９が備えられるフィルムワイヤ１８、２８の厚みと同じか、またはその厚みより大きくなるように形成される構成となっているため、コネクタ１０、２０のハウジング１１、２１に備えられる挿入部１１ａ、２１ａに挿入されるフィルムワイヤ１８、２８の接点ピン１９、２９が、接点部１３、２３により傷ついたり破損することなく挿入される。
【００１９】
以上のように、フィルムワイヤ１８、２８が約７５％程度挿入されると、そのフィルムワイヤ１８、２８のが先端がシーソー部材１４、２４の突出部１６、２６に接触される。
【００２０】
この際、前記突出部１６、２６は、突出部１６、２６とその前の端子１２、２２との間の間隔が接点ピン１９、２９が備えられるフィルムワイヤ１８、２８の厚みより小さくなるように形成されるため、フィルムワイヤ１８、２８の先端が突出部１６、２６にかかるようになり、そのかかるフィルムワイヤ１８、２８を力を入れて押すと、フィルムワイヤ１８、２８が突出部１６、２６を押しながら残部がハウジング１１、２１の内部に挿入され、これと同時に、押された突出部１６、２６によりシーソー部材１４、２４が中心部１５、２５を中心としてシーソー動作をするようになり、加圧部１７、２７によってフィルムワイヤ１８、２８を加圧することになる。
【００２１】
このように、シーソー部材１４、２４のシーソー動作により加圧部１７、２７がフィルムワイヤ１８、２８を加圧すると、フィルムワイヤ１８、２８の接点ピン１９、２９が端子１２、２２の接点部１３、２３に密着して接着され、その結果、接点ピン１９、２９が傷ついたり破損することなく接点部１３、２３に接触される。
【００２２】
また、上記のようにフィルムワイヤ１８、２８が最後の部分までほとんど挿入された状態で加圧部１７、２７がフィルムワイヤ１８、２８を加圧すると、その加圧された部分からフィルムワイヤ１８、２８の先端まで加圧部１７、２７によって押された跡が残らないため、フィルムワイヤ１８、２８はより安定して固定されるとともに、外力によりコネクタ１０、２０から分離されることも防止できる。
【００２３】
一方、図７乃至図１０は、本発明に係る他の実施形態を示す断面図であり、複数個の端子３２、４２がハウジング３１、４１に挿入されて固定され、そのハウジング３１、４１の挿入部３１ａ、４１ａにフィルムワイヤ３８、４８を挿入すると、フィルムワイヤ３８、４８の接点ピン３９、４９が端子３２、４２を介して基板に接続するようにするフィルムワイヤ用コネクタ３０、４０において、コネクタ３０、４０の端子３２、４２はハウジング３１、３２の内部にシーソー部材３３、３４、４３、４４を対向するように形成し、そのシーソー部材３３、３４、４３、４４は、中心部３５、４５により端子３２、４２に一体に接続されて形成され、そのシーソー部材３３、３４、４３、４４がフィルムワイヤ３８、４８によって同時にシーソー動作するように構成されている。
【００２４】
前記シーソー部材３３、３４、４３、４４は、前記中心部３５、４５の一側に突出部３６、４６を形成し、前記中心部３５、４５の他側には加圧部３７、４７を形成して構成する。
【００２５】
また、前記シーソー部材３３、３４、４３、４４は、突出部３６、４６同士が互いに対向するようにし、その間の間隔を接点ピン３９、４９が備えられるフィルムワイヤ３８、４８の厚みより小さくなるようにし、加圧部３７、４７は、加圧部３７、４７同士が互いに対向するように形成して、その間の間隔を接点ピン３９、４９が備えられるフィルムワイヤ３８、４８の厚みと同じか、または大きくなるように形成して構成することが望ましい。
【００２６】
本発明は、前記他の実施形態のように、シーソー部材３３、３４、４３、４４をそれぞれの端子３２、４２ごとに互いに対向するように一対ずつ形成することによって、より大きい力でフィルムワイヤ３８、４８を固定するとともに、フィルムワイヤ３８、４８の接点ピン３９、４９を端子３２、４２を介して基板に接続できるようになる。
【００２７】
即ち、本発明の他の実施形態の端子３２、４２が備えられるコネクタ３０、４０にフィルムワイヤ３８、４８を挿入すると、フィルムワイヤ３８、４８の接点ピン３９、４９が備えられる先端が両側の加圧部３７、４７の間に挿入される。
【００２８】
この際、前記加圧部３７、４７間の間隔は、接点ピン３９、４９が備えられるフィルムワイヤ３８、４８の厚みと同じか、またはその厚みより大きくなるように形成される構成となっているため、コネクタ３０、４０のハウジング３１、４１に備えられた挿入部３１ａ、４１ａに挿入されるフィルムワイヤ３８、４８の接点ピン３９、４９が加圧部３７、４７により傷ついたり破損したりすることなく挿入される。
【００２９】
上述のように挿入されるフィルムワイヤ３８、４８が約７５％程度挿入されると、そのフィルムワイヤ３８、４８の先端が、接点ピン３９、４９が備えられるフィルムワイヤ３８、４８の厚みより小さな間隔に形成されるシーソー部材３３、３４、４３、４４の突出部３６、４６に接触されるため、フィルムワイヤ３８、４８を力を入れて押すと、フィルムワイヤ３８、４８が突出部３６、４６を押しながら広げることにより、残部がハウジング３１、４１の内部に挿入される。
【００３０】
これと同時に、前記押圧される突出部３６、４６によりシーソー部材３３、３４、４３、４４が中心部３５、４５を中心としてシーソー動作をするようになり、加圧部３７、４７によりフィルムワイヤ３８、４８を加圧するため、フィルムワイヤ３８、４８の接点ピン３９、４９が傷ついたり破損したりすることを防止しつつ、端子３２、４２に接続させることができるとともに、フィルムワイヤ３８、４８が最後の部分までほとんど挿入された状態で加圧部３７、４７がフィルムワイヤ１８、２８を加圧しているため、その加圧される部分からフィルムワイヤ３８、４８の先端までに加圧部３７、４７によって押圧された跡が残らず、フィルムワイヤ３８、４８をより安定して固定することができる。
【産業上の利用可能性】
【００３１】
本発明の一つの効果は、フィルムワイヤを基板に接続するコネクタをフリップなしに構成し、そのコネクタのハウジングにフィルムワイヤを挿入する際に、最小は小さな力で挿入し、最後の部分でのみ大きな力を入れてフィルムワイヤをコネクタに挿入して固定できるようにすることにより、フィルムワイヤに構成される接点ピンが傷ついたり破損したりすることが防止できるとともに、フィルムワイヤを端子の正しい位置に挿入し、且つフィルムワイヤの固定状態を安定させることができるというものである。
【００３２】
本発明の好ましい実施形態を開示してきたが、当業者は、添付の特許請求の範囲に記載されている発明の範囲を逸脱すること無く、種々に変形し、追加し、代用することが可能である。
【図面の簡単な説明】
【００３３】
【図１】本発明の一実施形態に係る端子が備えられる垂直型コネクタの斜視図。
【図２】本発明の一実施形態に係る端子が備えられる水平型コネクタの斜視図。
【図３】本発明の一実施形態に係る端子が備えられる垂直型コネクタの動作状態を示す断面図。
【図４】本発明の一実施形態に係る端子が備えられる垂直型コネクタの動作状態を示す断面図。
【図５】本発明の一実施形態に係る端子が備えられる水平型コネクタの動作状態を示す断面図。
【図６】本発明の一実施形態に係る端子が備えられる水平型コネクタの動作状態を示す断面図。
【図７】本発明の他の実施形態に係る端子が備えられる垂直型コネクタの動作状態を示す断面図。
【図８】本発明の他の実施形態に係る端子が備えられる垂直型コネクタの動作状態を示す断面図。
【図９】本発明の他の実施形態に係る端子が備えられる垂直型コネクタの動作状態を示す断面図。
【図１０】本発明の他の実施形態に係る端子が備えられる垂直型コネクタの動作状態を示す断面図。
【図１１】従来のフリップのない垂直型コネクタを示す縦断面図。
【図１２】従来のフリップのない水平型コネクタを示す縦断面図。
【図１３】従来のフリップのある垂直型コネクタを示す縦断面図。
【図１４】従来のフリップのある水平型コネクタを示す縦断面図。
【図１】
2008504645.tif 000003
【図２】
2008504645.tif 000004
【図３】
2008504645.tif 000005
【図４】
2008504645.tif 000006
【図５】
2008504645.tif 000007
【図６】
2008504645.tif 000008
【図７】
2008504645.tif 000009
【図８】
2008504645.tif 000010
【図９】
2008504645.tif 000011
【図１０】
2008504645.tif 000012
【図１１】
2008504645.tif 000013
【図１２】
2008504645.tif 000014
【図１３】
2008504645.tif 000015
【図１４】
2008504645.tif 000016
【国際調査報告】
2008504645.tif 000017
2008504645.tif 000018